(57)【要約】【課題】開閉機の駆動制御に異常があった場合を表示するランプの配線を短くすると共に、制御装置において自己診断された異常の種類を表示するようにしてメンテナンス性を向上する。【解決手段】異常があることを表示するためのＬＥＤランプ２８を、制御装置２１を内装し、かつシャッターケース２に内装される制御盤ケース１９の底面板１９ｃに設け、シャッターケース２の下から見上げることでＬＥＤランプ２８を認識できるようにして配線を短くすると共に、制御盤ケース１９には、自己診断された異常の種類を表示するＬＥＤ表示器２５を配して、メンテナンスのため制御盤ケース１９を開けたときに異常の種類を認識できるようにする。【選択図】図８
2014055469.tif 000002
【特許請求の範囲】
【請求項１】
シャッターカーテンが巻装される巻取りドラムを、シャッターケースを構成する左右のブラケットに回転自在に軸支すると共に、前記シャッターケースに、巻取りドラムを回転駆動するための開閉機と、該開閉機の駆動制御をするための制御装置を内装してなる建築用シャッター装置において、前記制御装置内装用ケースの底板面に、少なくとも駆動制御が異常であることを表示するための表示ランプを設け、前記内装用ケース及びシャッターケースの各底面板には、表示ランプを下から視認するための窓が設けられると共に、前記制御装置には、異常の種類を自己診断する異常自己診断手段が設けられ、前記内装用ケース内には、前記異常の種類を表示するための異常種類表示ランプが設けられていることを特徴とする建築用シャッター装置。
【請求項２】
制御装置には、異常履歴を記憶する異常履歴記憶手段が設けられ、内装用ケース内には、異常表示ランプに異常履歴を順次表示する異常履歴表示モードに切換えるための切換えスイッチが設けられていることを特徴とする請求項１記載の建築用シャッター装置。
【請求項３】
シャッターカーテンの左右両端部をガイドする左右ガイドレールの一方には、開閉機の開閉駆動操作をするための操作スイッチと、開閉機の自動駆動制御と手動駆動制御との切換えをする自動−手動切換えスイッチとが設けられ、表示ランプは、自動駆動制御と手動駆動制御とをそれぞれ表示する自動、手動駆動制御表示ランプであることを特徴とする請求項１または２記載の建築用シャッター装置。
【発明の詳細な説明】
【技術分野】
【０００１】
本発明は、建築物の開口部に設けられる建築用シャッター装置の技術分野に関するものである。
【背景技術】
【０００２】
一般に、建築用シャッター装置のなかには、可撓性のシート材からなるシャッターカーテンを開口部上方の躯体に設けたシャッターケースに内装される巻取りドラムに巻装する一方、該巻取りドラムをシャッターケースに内装される開閉機に連動連結して、開閉機を正逆駆動することによりシャッターカーテンの開閉作動がなされるように構成したものがあるが、このような建築用シャッター装置に何らかの異常、例えば開放異常や閉鎖異常、障害物検知装置の異常等の異常が発生した場合に、これらの異常を自己診断するようにしたものが知られている（特許文献１、２参照）。
そしてこのような異常が発生した場合、該異常をマグサ部に設けた報知ランプを点灯する等して外部に報知するようにしたものが知られている（特許文献３参照）。
【先行技術文献】
【特許文献】
【０００３】
【特許文献１】特開２００８−１５６９２１号公報
【特許文献２】特開２００７−１７０１３２号公報
【特許文献３】特開平１１−３５０８５６号公報
【発明の概要】
【発明が解決しようとする課題】
【０００４】
しかしながら前記異常報知をマグサ部に設けた報知ランプで行うようにする場合、制御部からの配線が必要になるという問題がある。
しかも報知ランプによる報知は点灯という単純なものであるため、どのような異常であるかを即座に判別することが難しという問題があり、これらに本発明が解決せんとする課題がある。
【課題を解決するための手段】
【０００５】
本発明は、上記の如き実情に鑑みこれらの課題を解決することを目的として創作されたものであって、請求項１の発明は、シャッターカーテンが巻装される巻取りドラムを、シャッターケースを構成する左右のブラケットに回転自在に軸支すると共に、前記シャッターケースに、巻取りドラムを回転駆動するための開閉機と、該開閉機の駆動制御をするための制御装置を内装してなる建築用シャッター装置において、前記制御装置内装用ケースの底板面に、少なくとも駆動制御が異常であることを表示するための表示ランプを設け、前記内装用ケース及びシャッターケースの各底面板には、表示ランプを下から視認するための窓が設けられると共に、前記制御装置には、異常の種類を自己診断する異常自己診断手段が設けられ、前記内装用ケース内には、前記異常の種類を表示するための異常種類表示ランプが設けられていることを特徴とする建築用シャッター装置である。
請求項２の発明は、制御装置には、異常履歴を記憶する異常履歴記憶手段が設けられ、内装用ケース内には、異常表示ランプに異常履歴を順次表示する異常履歴表示モードに切換えるための切換えスイッチが設けられていることを特徴とする請求項１記載の建築用シャッター装置である。
請求項３の発明は、シャッターカーテンの左右両端部をガイドする左右ガイドレールの一方には、開閉機の開閉駆動操作をするための操作スイッチと、開閉機の自動駆動制御と手動駆動制御との切換えをする自動−手動切換えスイッチとが設けられ、表示ランプは、自動駆動制御と手動駆動制御とをそれぞれ表示する自動、手動駆動制御表示ランプであることを特徴とする請求項１または２記載の建築用シャッター装置である。
【発明の効果】
【０００６】
請求項１の発明とすることにより、少なくとも駆動制御の異常を、シャッターケースの下からシャッターケース下面を見上げて表示ランプを視認するだけで確認することができるが、少なくとも異常を表示する表示ランプは内装用ケース内に配されるから、長い配線が不要になる。しかも内装用ケース内には、自己診断された異常の種類を表示するための異常種類表示ランプが設けられるため、ここにおいても長い配線が不要になるうえ、メンテナンスする際の利便性に優れ、異常の種類に対応させた迅速な処理をすることができる。
請求項２の発明とすることにより、個々の建築用シャッターの異常発生の傾向等を知ることができてメンテナンス作業の効率アップが図れることになる。
請求項３の発明とすることにより、建築用シャッター装置が自動制御中であるか手動制御中であるかが表示ランブをみることで容易に確認できることになる。
【図面の簡単な説明】
【０００７】
【図１】シートシャッター装置の正面図である。
【図２】シートシャッター装置の要部拡大正面図である。
【図３】シートシャッター装置の要部拡大側面図である。
【図４】ガイドレール部の水平断面図である。
【図５】シャッターケース部のカバー板を外した状態の駆動ブラケット部側の側面図である。
【図６】シャッターケース部の縦断面側面図である。
【図７】（Ａ）は制御盤ケースの平面図、（Ｂ）は制御盤ケースの正面図である。
【図８】（Ａ）は制御盤ケースの側面図、（Ｂ）は制御盤ケースの底面図である。
【図９】（Ａ）は制御盤ケースのカバー体を外した状態の概略正面図、（Ｂ）は制御盤ケースのカバー体を外した状態の縦断面側面図である。
【図１０】シャッターケースの要部底面図である。
【図１１】制御回路のブロック回路図である。
【発明を実施するための形態】
【０００８】
つぎに、本発明の実施の形態について図面に基づいて説明する。
図面において、１は建築物（躯体Ｂ）に形成される開口部を開閉して建築物の内外を仕切る高速シートシャッター装置のシャッターカーテンであって、該シャッターカーテン１は、可撓性を有したシート材からなり、躯体Ｂに開設される開口部の上部内部側に向けて突出配設されたシャッターケース２に回転自在に内装された巻取りドラム３に巻装されている。そして、巻取りドラム３は、後述するように、シャッターケース２に内装される開閉機４に連動連結されており、巻取りドラム３に巻装されるシャッターカーテン１は、開閉機４の開閉駆動に基づいて巻取りドラム３から巻出されて開口部を閉鎖する全閉姿勢と、巻取りドラム３に巻取られて開口部を開放する全開姿勢とのあいだを姿勢変姿して開口部を開閉するが、このときシャッターカーテン１の左右両側縁部は、開口部の左右方向両側となる躯体Ｂにそれぞれ固定される左右一対のガイドレール５にそれぞれ移動案内されるように設定されており、これらの基本構成は何れも従来通りとなっている。
【０００９】
前記シャッターカーテン１は、左右両側縁部の全長にわたってシート材１ａがそれぞれ一体化されており、各シート材１ａの左右方向外端縁部には、複数の係止片１ｂが上下方向に所定間隙を存する状態で設けられている。これら係止片１ｂは、後述するように、ガイドレール５に抜止め状に嵌合して、上下方向の移動案内を受けるように構成されている。また、シャッターカーテン１下端縁部の左右端部を除く部位には、シート材を折返すことで袋状部１ｃが形成されており、該袋状部１ｃにはボトムウエイト１ｄが内装されている。これによって、シャッターカーテン１の閉鎖作動の過程において、ボトムウエイト１ｄが錘として作用して閉鎖作動を円滑にするとともに、障害物との当接時にはボトムウエイト１ｄが緩衝部材として作用して衝撃吸収するように設定されている。
【００１０】
また、開口部両側部に設けられる左右一対の長尺状のガイドレール５は、それぞれ開口部の左右両側に位置して上下方向に点在していて躯体Ｂに固定されるＬ字形をしたレールブラケット６ａと、該レールブラケット６ａに対向して角筒形の空間を形成する上下方向に長いレールカバー６ｂとで形成される第一レール６、該第一レール６の左右方向内方に積層状に設けられる第二レール７と、シャッターカーテン１の両側部に設けられた係止片１ｂを上下方向移動自在で、かつ、左右方向への抜止めがなされた状態で内嵌する第三レール８とを備えて構成されている。
【００１１】
また、第二レール７は床面からシャッターケース２の下端部に至る長さを有した長尺体に形成されており、左右方向内方が開口する断面コ字状に形成されている。これら第一、第二レール６、７は螺着することにより一体化されている。
【００１２】
さらに第二レール７の凹溝７ａ内に、弾性変形可能な樹脂材で構成された第三レール８が設けられているが、前記第三レール８は床面からシャッターケース２の下端部に至る長さを有した長尺体に形成されており、左右方向内方にシャッターカーテン１の係止片１ｂを嵌合ガイドするガイド片８ａが上下方向全長にわたって形成される一方、左右方向外方にボルト９の頭部９ａを左右方向抜止め状に嵌合支持するボルト支持片８ｂが上下方向全長にわたって形成されている。このように構成された第三レール８は、ボルト支持片８ｂに複数のボルト９の頭部９ａを嵌合し、これらボルト９の左右方向外方に向けて突出する各螺子部９ｂを、第二レール７の溝底片７ｂに上下方向所定間隙を存して開設された複数の貫通孔７ｃ、および、第一レール６にそれぞれ左右方向移動自在に遊嵌状に貫通し、該第一レール６の溝内に突出する螺子部９ｂの貫通端部にナット９ｃを螺合することにより、第二レール７から抜止めされた状態で組込まれている。さらに、第一レール６の蟻溝内に位置するボルト９の螺子部９ｂであって、第二レール７の溝底片７ｂとナット９ｃとのあいだに位置する螺子部９ｂの外周にはコイル弾機９ｄが介装されており、該コイル弾機９ｄの付勢力によりボルト頭部９ａが左右方向外方に向けて付勢されるように構成されている。
これによって、第三レール８は、ボルト支持片８ｂが第二レール７の溝底片７ｂに弾圧する状態で支持されており、シャッターカーテン１に風圧などによる負荷が作用した場合に、前記負荷が所定の大きさの範囲内であれば、第三レール８がボルト９とともに前後方向に揺動すること、さらには、コイル弾機９ｄの付勢力に抗して第三レール８がボルト９とともに左右方向内方に変位することに基づいて、係止片１ｂが第三レール８のガイド片８ａから抜出すことなくシャッターカーテン１の変形が許容され、また、シャッターカーテン１に作用する負荷が所定の大きさよりも大きい場合では、ガイド片８ａの弾性変形に基づいて係止片１ｂが第三レール８から抜出して、シャッターカーテン１、第三レール８の保護が図れるように構成されている。
【００１３】
さて、本実施の形態のシャッターケース２は、左右のブラケット（側板）１０、前面板１１、底面板１２、天井板１３、背面板１４、左右カバー板１５を用いて構成されているが、前面板１１は、上半部が前低後高状に傾斜した傾斜板１１ａと下半部の垂直板１１ｂとにより構成されている。
【００１４】
左右ブラケット１０には、巻取りドラム３と一体化された巻取りシャフト３ａが軸受３ｂを介して回転自在に貫通取付け支持されている。
さらに左右ブラケット１０には、シャッターカーテン１がシャッターケース２から繰出されるマグサ直上であって、開閉機４の駆動により閉作動しているシャッターカーテンが障害物に当ることに伴いシャッターカーテン１がシャッターケース２内のマグサ直上部位で撓むことによる光軸の遮断で障害物検知をする障害物検知センサ（本実施の形態では投受光器から構成されている）１６が設けられている。
そして該設けられた障害物検知センサ１６の光軸は、巻取りドラム３に最大限巻装されたシャッターカーテン１の外周よりも外側（外径側）位置を通る設定となっており、開閉機４の駆動により閉作動している際に、ボトムウエイト１ｄが障害物に当ることに伴いシャッターカーテンがシャッターケース２内のマグサ直上部位で撓むことによる光軸の遮断で障害物検知をするようになっている。
【００１５】
駆動側ブラケットとなる一方のブラケット（本実施の形態では右側ブラケット）１０には前記開閉機４が取付けられ、該開閉機４から突出する駆動軸４ａに取付けられた駆動ギア４ｂと前記巻取りシャフト３ａに取付け固定した従動ギア３ｃとが無端チエン１７を介して連動連結されており、そして開閉機４が正逆駆動することに伴う巻取りドラム３の回動でシャッターカーテン１の開閉作動をするようになっている。
【００１６】
前記前面板１１の垂直板１１ｂには、開閉機４よりも左右方向中央側（左側ブラケット１０側）に位置する状態で左右に長い開閉窓１１ｃが形成されるが、該開閉窓１１ｃは蓋体１８によって開閉自在に閉鎖されている。１８ａは蓋体１８を垂直板１１ｂに固定するためのビスである。
【００１７】
底面板１２の上面には、前記開閉窓１１ｃ位置に対応する状態で制御盤ケース１９が底面板１２の下面側から螺入するビス１９ａを介して固定されているが、該制御盤ケース１９は開閉窓１１ｃと対向する前面と上面とが開口した箱状に形成され、制御盤ケース１９の背面板１９ｂには、ブレーカ２０と制御装置２１とが左右に隣接する状態で配され、開閉窓１１ｃ側から螺入するビス２０ａ、２１ａを介してブレーカ２０と制御装置２１の基板２１ｇが固定されている。そして制御盤ケース１９は、前記開口する前面と上面とがカバー体１９ｅによって覆蓋されるが、該カバー体１９ｅは、前側から螺入するビス１９ｆを介して制御盤ケース１９に固定されるようになっており、これによってメンテナンス作業をする際に、制御装置２１を開放している開閉窓１１ｃから着脱作業ができるようになっている。
【００１８】
制御装置２１は、ブレーカ２０側半部が高電圧部品が配された高電圧部品配設部２１ｂとなり、開閉機４側半部が低電圧部品が配された低電圧部品配設部２１ｃとなっているが、高電圧部品配設部２１ｂには、基板２１ｇから開閉窓１１ｃに向けて支柱２１ｄが立設され、該支柱２１ｄの前端に高電圧部品配設部２１ｂを覆うための覆い板２１ｅがビス２１ｆを介して固定されており、これによって蓋体１８及びカバー体１９ｅを外して開閉窓１１ｃ側から低電圧部品配設部２１ｃのメンテナンスや後述する制御切換えあるいは異常確認をするような場合に、作業者が高電圧部品配設部２１ｂに配した高電圧部品に触れることを回避できるように配慮されている。
【００１９】
前記低電圧部品配設部２１ｃには、各種の電気、電子部品２２の他に、複数個（本実施の形態では３個）のロータリスイッチ２３、複数個（本実施の形態では３個）のディップスイッチ２４、全点灯したときに数字の「８」を表示できる７セグメントのＬＥＤ表示器２５、端子台２６が配設されている。そしてロータリスイッチ２３でのスイッチ切換え、ディップスイッチ２４のスイッチ切換え、端子台２６での配線切換え等によって開閉機４の駆動モードの選択、障害物検知があった場合の障害物回避モードの選択等の各種のモード切換えができるようになっている。
【００２０】
前記制御盤ケース１９の背面板１９ｂの裏面、つまり巻取りドラム３から繰り出されるシャッターカーテン１と前後方向に対向する背面板１９ｂの面には回生抵抗器２７がシャッターケース２内において露出する状態で設けられている。さらに回生抵抗器２７は、巻取りドラム３に巻装されているシャッターカーテン１が上方位置に配されており、シャッターカーテン１が開閉作動する際に、巻取りドラム３に巻装されたシャッターカーテン１の上方での回転移動及び巻取りドラム３から繰出されたシャッターカーテン１の後方での上下移動により起風される風に直接晒されることになって積極的な冷却を受けるようになっている。
【００２１】
前記制御盤ケース１９の底面板１９ｃには、前記ロータリスイッチ２３、ディップスイッチ２４に隣接する状態で高電圧部品配設部２１ｂ側に位置して窓孔１９ｄが穿設されているが、該窓孔１９ｄには三個の異色のＬＥＤランプ２８、２８ａ、２８ｂが設けられているが、そのうちの第一のＬＥＤランプ２８は後述する異常検知があったときに点灯（点滅点灯あるいは常時点灯、以下同じ）をし、第二のＬＥＤランプ２８ａは後述する自動制御を選択したときに点灯し、第三のＬＥＤランプ２８ｂは後述する手動制御を選択したときに点灯するように設定されている。そしてこれらＬＥＤランプ２８、２８ａ、２８ｂは、シャッターケース底面板１２に穿設した覗き窓１２ａを通してシャッターケース２の下位置から視認できるようになっている。
【００２２】
２９は左右一方のガイドレール５に設けた開、閉、停の操作スイッチ、３０はシャッターカーテンの開閉回数を示す表示器、３１はシャッターカーテンの手動−自動切換えスイッチであって、該切換えスイッチ３１を自動に切換えると自動制御モードとなり、そして、図示しない近接物検知センサが人や車両等の移動物がシャッター装置に近接したことを検知することに伴い自動的にシャッターカーテン１の開放をし、近接物がシャッター装置を通り過ぎたかいなくなったことの検知に伴いシャッターカーテン１の閉鎖をするがこれらの開閉作動は高速で行われることが通常設定になっている。また切換えスイッチ３１を手動に切換えた場合、前記第三のＬＥＤランプ２８ｂが点灯して手動制御モードであることを知らしめ、そして操作スイッチ２９の操作に基づいてシャッターカーテン１の開閉制御が実行されるようになっているが、このときのシャッターカーテン１の開閉速度は低速で行われることが通常設定になっている。そしてこれら開閉速度の通常設定は、前述したスイッチ切換えや配線切換えにより自由に設定できるようになっている。
【００２３】
前記制御装置２１には、マイクロコンピュータを用いて構成される制御部ＣＰＵが設けられているが、該制御部ＣＰＵには、前述した障害物検知センサ１６、ロータリスイッチ２３、ディップスイッチ２４、端子台２６、開閉操作スイッチ２９、自動−手動切換えスイッチ３１等の各種のスイッチ、センサ類からの入力を受けることに伴い必要な判断をして、開閉機４、ＬＥＤ表示器２５、第一〜第三ＬＥＤランプ、回数表示器３０等に前述したような必要指令を出力するようになっているが、制御部ＣＰＵには、前記各種のスイッチ、センサ類等からの信号入力に基づいて異常があるか否かの判断をしその異常が何であるかの自己診断（判断）をする異常判断手段と、その異常履歴を記憶する異常履歴記憶手段が設けられている。
【００２４】
そして制御部ＣＰＵは、何らかの異常があると判断された場合にその異常の種類を判別し、第一のＬＥＤランプ２８に点灯指令を出力すると共に、前記ＬＥＤ表示器２５に異常の種類に応じて予め設定される数字を表示するようになっている。このため点灯している第一ＬＥＤランプ２８を認識したものは、メンテナンス業者に異常が発生していることを知らせ、該知らせを受けたメンテナンス業者は、シャッター装置の設置現場に行き、前面板１１に設けた蓋体１８およびカバー体１９ｅを取外して開閉窓１１ｃからＬＥＤ表示器２５が表示している数字を確認することでどのような異常であるかの認識ができ、異常に対応したメンテナンスができるようになっている。
【００２５】
さらに制御部ＣＰＵは、例えばディップスイッチ２４の選択切換えにより異常履歴表示モードになるが、該異常履歴表示モードになると、前記ＬＥＤ表示器２５に異常履歴を順次表示するよう指令することになるが、履歴表示については、古いものから順の表示と新しいものから順の表示切換えができるようになっている。
【００２６】
叙述の如く構成された本発明の実施の形態において、開閉機の駆動制御に基づくシャッターカーテン１の作動によって出入り口の開閉がなされるが、この場合において、制御盤ケース１９の底面板１９ｃに第一〜第三のＬＥＤランプ２８、２８ａ、２８ｂが設けられているが、これらＬＥＤランプ２８、２８ａ、２８ｂは、シャッターケース２の下から見上げることで点灯状態を視認することができる。そしてそのうちの第一ＬＥＤランプ２８は、制御装置２１での異常診断により駆動制御に何らかの異常があると診断された場合に、点灯表示をすることになって異常認識が容易となるが、これらＬＥＤランプ２８、２８ａ、２８ｂは制御盤ケース１９に設けられるため長い配線が不要となる。しかも制御盤ケース１９内には、前記自己診断された異常の種類を表示するためのＬＥＤ表示器２５が設けられているため、前記第一ＬＥＤランプ２８で異常を認識した場合に、メンテナンスのため蓋体１８を外して窓１１ｃを開け、さらに制御盤ケース１９のカバー体１９ｅを開けると制御装置２１が見えることになり、前記異常に対応するメンテナンス作業をすることになるが、制御装置２１には異常の種類が制御装置２１の低電圧部品配設部２１ｃに配したＬＥＤ表示器２５に数字として表示される。この結果、メンテナンスを行う作業者は、この表示された数字を見て必要な処置を行うことができ、作業性が向上する。
【００２７】
しかもこのものでは制御装置２１の低電圧部品配設部２１ｃに設けたディップスイッチ２４を予め設定されたある状態に切換えることでＬＥＤ表示器２５には異常履歴が順次表示されることになる。この結果、このシャッター装置に固有の異常傾向や次に起きるであろう異常を予想することができ、今後のメンテナンスに役立つことになる。
【００２８】
またこのものでは左右ガイドレール５の一方に、開閉機４の自動駆動制御と手動駆動制御とを切換えるための自動−手動切換えスイッチ３１が開閉操作スイッチ２９が設けられる部位の近傍に設けられているため、これらの切換え操作が簡単に行うことができるうえ、現在の開閉機の駆動制御が自動駆動制御状態か手動駆動制御状態であるかの判別を第二ＬＥＤランプ２８ａ、第三ＬＥＤランプ２８ｂのどちらかの点灯によって認識することができることになる。
【産業上の利用可能性】
【００２９】
本発明は、建物の開口部に設けられる建築用シャッター装置に利用することができる。
【符号の説明】
【００３０】
１    シャッターカーテン
２    シャッターケース
３    巻取りドラム
４    開閉機
５    ガイドレール
１１    シャッターケース前面板
１２    シャッターケース底面板
１２ａ  窓
１９    制御盤ケース
１９ｃ  底面板
２１    制御装置
２４    ディップスイッチ
２５    ＬＥＤ表示器
２８    第一ＬＥＤランプ
２８ａ  第二ＬＥＤランプ
２８ｂ  第三ＬＥＤランプ
２９    開閉操作スイッチ
３１    自動−手動切換えスイッチ
【図１】
2014055469.tif 000003
【図２】
2014055469.tif 000004
【図３】
2014055469.tif 000005
【図４】
2014055469.tif 000006
【図５】
2014055469.tif 000007
【図６】
2014055469.tif 000008
【図７】
2014055469.tif 000009
【図８】
2014055469.tif 000010
【図９】
2014055469.tif 000011
【図１０】
2014055469.tif 000012
【図１１】
2014055469.tif 000013